(57)【要約】【課題】クリーンルームなどの清浄な空間内において着用し、使用者の頭部を保護するとともに、使用者が姿勢を変化させてもずれることがなく、しかも着用時に違和感がない防塵フードを提供する。【解決手段】フード部１２の外縁部には頭帯１４が連接され、プロテクト部２１には開口部５０が形成され、頭帯１４およびフード部１２の少なくとも一方に、頭帯１４とフード部１２とを接離可能な接着部材１６を設け、プロテクト部２１をフード部１２に装着するとともに頭帯１４をフード部１２の内周面側に折り返した状態で、開口部５０の位置で接着部材１６によって頭帯１４とフード部１２とを接着する。【選択図】        図１
2006144189.tif 000002
【特許請求の範囲】
【請求項１】
使用者の頭部を包むフード部と、前記フード部の内部に装着されるプロテクト部とを有する防塵フードであって、前記フード部の外縁部には頭帯が連接され、前記プロテクト部には開口部が形成され、前記頭帯および前記フード部の少なくとも一方に、前記頭帯と前記フード部とを接離可能な接着部材を設け、前記プロテクト部を前記フード部に装着するとともに前記頭帯を前記フード部の内周面側に折り返した状態で、前記開口部の位置で前記接着部材によって前記頭帯と前記フード部とを接着させることを特徴とする防塵フード。
【請求項２】
前記プロテクト部を、使用者の頭部を覆う半球状の保護部材と、使用者の頭周囲部を囲むヘッドバンド部とで構成し、前記保護部材には、周囲に複数のスリットおよび複数の小判孔を設け、前記ヘッドバンド部には、前記小判孔への嵌合部材を設け、前記嵌合部材を前記小判孔に嵌合して前記ヘッドバンド部を前記保護部材に装着し、前記ヘッドバンド部と前記保護部材との間に形成される空間を、前記開口部としたことを特徴とする請求項１に記載の防塵フード。
【請求項３】
前記ヘッドバンド部の両端部が重なる位置に長さ調整部材を設け、前記長さ調整部材を使用者の後頭部の位置とし、前記長さ調整部材と前記保護部材との間に前記空間を形成したことを特徴とする請求項２に記載の防塵フード。
【請求項４】
請求項１から請求項３のいずれかに記載の防塵フードを有することを特徴とする防塵服。
【発明の詳細な説明】
【技術分野】
【０００１】
本発明は、クリーンルームなどの清浄空間で作業する際に着用される防塵フードに関する。
【背景技術】
【０００２】
クリーンルームなどの清浄な空間内では、作業者の衣類に付着している塵埃が作業対象物を汚染することを防止するために、防塵フードが使用されている。従来の防塵フードでは、着用者の頭部回りのサイズを調節する構成が提案されている（たとえば、特許文献１参照）。
【特許文献１】特開２００１−２９５１２７号公報（特許請求の範囲、（０００２）、（０００６）、図１、図３など）
【発明の開示】
【発明が解決しようとする課題】
【０００３】
しかし、従来の防塵フードにおいては、使用者の頭部は防塵フードのフード生地で覆われているだけなので、機械装置などの狭所組立作業などで自ら頭部をその機械にぶつけることから保護することはできない。
一方、ヘルメットなどを装着した上に、防塵フードを装着することはサイズ的に問題があり、仮にヘルメットとともに防塵フードを装着できたとしても、使用者の動きによってヘルメットに対して防塵フードがずれてしまい、視界を遮ったり、あるいは防塵機能が損なわれるなどの問題を生じてしまう。
【０００４】
そこで本発明は、クリーンルームなどの清浄な空間内において、頭部への機械装置などの狭所組立作業などで自ら頭部をその機械にぶつけることから保護する機能を有し、使用者が姿勢を変化させてもずれることがなく、しかも着用時に違和感がない防塵フードを提供することを目的とする。
【課題を解決するための手段】
【０００５】
請求項１記載の本発明の防塵フードは、使用者の頭部を包むフード部と、前記フード部の内部に装着されるプロテクト部とを有する防塵フードであって、前記フード部の外縁部には頭帯が連接され、前記プロテクト部には開口部が形成され、前記頭帯および前記フード部の少なくとも一方に、前記頭帯と前記フード部とを接離可能な接着部材を設け、前記プロテクト部を前記フード部に装着するとともに前記頭帯を前記フード部の内周面側に折り返した状態で、前記開口部の位置で前記接着部材によって前記頭帯と前記フード部とを接着させることを特徴とする。
請求項２記載の本発明は、請求項１に記載の防塵フードにおいて、前記プロテクト部を、使用者の頭部を覆う半球状の保護部材と、使用者の頭周囲部を囲むヘッドバンド部とで構成し、前記保護部材には、周囲に複数のスリットおよび複数の小判孔を設け、前記ヘッドバンド部には、前記小判孔への嵌合部材を設け、前記嵌合部材を前記小判孔に嵌合して前記ヘッドバンド部を前記保護部材に装着し、前記ヘッドバンド部と前記保護部材との間に形成される空間を、前記開口部としたことを特徴とする。
請求項３記載の本発明は、請求項２に記載の防塵フードにおいて、前記ヘッドバンド部の両端部が重なる位置に長さ調整部材を設け、前記長さ調整部材を使用者の後頭部の位置とし、前記長さ調整部材と前記保護部材との間に前記空間を形成したことを特徴とする。
請求項４記載の本発明の防塵服は、請求項１から請求項３のいずれかに記載の防塵フードを有することを特徴とする。
【発明の効果】
【０００６】
本発明の防塵フードによれば、クリーンルームなどの清浄な空間内において、機械装置などの狭所組立作業などで自ら頭部をその機械にぶつけることから保護することができる。
また、本発明の防塵フードによれば、プロテクト部を頭帯で包み込んで接着部材で留めているので、フード部とプロテクト部とが確実に固定され、使用者が姿勢を変化させてもフード部とプロテクト部がずれることがない。
また、本発明の防塵フードによれば、プロテクト部は使用者に確実に装着されるので、使用者が姿勢を変化させてもプロテクト部が、使用者の頭からずれることがなく、着用時に違和感もない。
また、本発明の防塵フードによれば、プロテクト部による保護機能を必要としない場合には、プロテクト部をフード本体から簡単に取り外すことができる。
【発明を実施するための最良の形態】
【０００７】
本発明の第１の実施の形態による防塵フードは、フード部の外縁部には頭帯が連接され、プロテクト部には開口部が形成され、頭帯およびフード部の少なくとも一方に、頭帯とフード部とを接離可能な接着部材を設け、プロテクト部をフード部に装着するとともに頭帯をフード部の内周面側に折り返した状態で、開口部の位置で接着部材によって頭帯とフード部とを接着させるものである。本実施の形態によれば、開口部の位置で頭帯とフード部とを接着することで、フード部に対してプロテクト部を固定することができ、使用者が姿勢を変化させてもフード部がプロテクト部に対してずれることがない。また、プロテクト部による保護機能を必要としない場合には、プロテクト部をフード本体から簡単に取り外すことができる。
本発明の第２の実施の形態は、第１の実施の形態による防塵フードにおいて、プロテクト部を、使用者の頭部を覆う半球状の保護部材と、使用者の頭周囲部を囲むヘッドバンド部とで構成し、保護部材には、周囲に複数のスリットおよび複数の小判孔を設け、ヘッドバンド部には、小判孔への嵌合部材を設け、嵌合部材を小判孔に嵌合してヘッドバンド部を保護部材に装着し、ヘッドバンド部と保護部材との間に形成される空間を、開口部としたものである。本実施の形態によれば、ヘッドバンド部によってプロテクト部を使用者の頭部に固定できるとともに、フード部はプロテクト部に対して確実に固定されているので、使用者が姿勢を変化させても、プロテクト部もフード部もずれることがなく、着用時の違和感もない。
本発明の第３の実施の形態は、第２の実施の形態による防塵フードにおいて、ヘッドバンド部の両端部が重なる位置に長さ調整部材を設け、長さ調整部材を使用者の後頭部の位置とし、長さ調整部材と保護部材との間に空間を形成したものである。本実施の形態によれば、ヘッドバンド部の長さを調節することができ、頭囲が異なる使用者に対してのプロテクト部の確実な装着ができる。また、ヘッドバンド部の後頭部側はヘルメットより下方に位置させることで、ヘッドバンド部の頭部への固定を確実に行わせることができるため、長さ調整部材と保護部材との間には広い空間を形成しやすく、この空間を開口部として利用することで、接着部材による頭帯とフード部との接着を行いやすくなる。
本発明の第４の実施の形態による防塵服は、第１から第３の実施の形態による防塵フードを有するものである。本実施の形態によれば、使用者が姿勢を変化させてもプロテクト部が使用者の頭からずれることがなく、着用時に違和感もない防塵服を提供することができる。
【実施例】
【０００８】
以下本発明の一実施例について図面を用いて説明する。
図１は本実施例による防塵フード着用時を示す側面断面図、図２は同防塵フードのフード本体を示す側面断面図、図３は同防塵フードのフード本体を示す正面断面図、図４は同防塵フードのプロテクト部の保護部材を示す斜視図、図５は同防塵フードのプロテクト部のヘッドバンド部を示す斜視図、図６は同防塵フードのプロテクト部を示す斜視図である。
図１に示すように、防塵フード１０は、フード本体１１と、使用者３０の頭部を覆うプロテクト部２１とを有している。フード本体１１は、使用者３０の頭部を包むフード部１２と、このフード部１２から使用者３０の首、肩方向に延びるスカート部１３とを有している。フード部１２の外周縁部の内周面には、特に図２や図３に示すように、使用者３０の額上部から後頭部にかけての頭周囲部を囲む頭帯１４が縫い付けられている。また、頭帯１４の後頭部付近の位置には、例えば面ファスナーのような接離自在な接着部材１５が設けられている。また、頭帯１４の縫い付け位置１７で頭帯１４をフード部１２の上方側に折り返したときに接着部材１５が折り返されてくる位置に対応するフード部１２の内面の位置には、接着部材１５を受ける他方の接着部材１６が設けられている。
フード部１２の内部には、使用者３０の頭部を覆うプロテクト部２１が配置される。
プロテクト部２１は、図４に示す半球状の保護部材２２と、図５に示す頭周囲部を囲むヘッドバンド部２３とを有している。なお、図６は、保護部材２２とヘッドバンド部２３との装着状態を示している。
【０００９】
図４に示すように、保護部材２２は、ポリエチレンなどの硬質樹脂で形成された半球状の本体で構成され、その頂部に複数のスリット孔４１が設けられており、側壁には複数のスリット４２が設けられている。スリット４２は、使用者３０が保護部材２２をかぶったときに使用者３０の頭の大きさに対応して保護部材２２の半球状の大きさを調整する機能を有する。また、保護部材２２の側壁には複数個の小判孔４３、４３１、４４、４４１が形成されている。小判孔４３、４３１は、保護部材２２を頭にかぶったときに後頭部に位置し、小判孔４４、４４１は、前頭部に位置する。また、小判孔４３は、小判孔４３１より下方位置に設けられ、小判孔４４は、小判孔４４１より上方位置に設けられる。小判孔４３、４３１、４４、４４１は図５に示すヘッドバンド部２３の取り付け孔として機能する。
【００１０】
図５に示すように、ヘッドバンド部２３は、可撓性の樹脂で形成されたバンド４５を有し、バンド４５の一端にはバンド４５の長さ方向に配列された複数の透孔４６が形成され、他端にはこの透孔４６のいずれかと嵌合自在な突起部材を有するスライダ４７が設けられている。スライダ４７と透孔４６とによりバンド４５の長さ調整部材が構成され、スライダ４７をバンド４５の長さ方向にスライドさせていずれかの透孔４６に嵌合させることにより使用者３０の頭の大きさに対応してバンド４５の長さが調整され、バンド４５が形成する径の大きさを調整することができる。
バンド４５の複数箇所には、バンド４５の長さ方向に交差する方向に伸びる複数の枝部４８が設けられ、各枝部４８の先端付近に突起４９が形成されている。突起４９は、保護部材２２の側壁における小判孔４３、４３１、４４、４４１と嵌合自在であり、かつ小判孔４３、４３１、４４、４４１と嵌合したときに簡単に外れないように、図５（ｂ）に示すように小判孔４３、４３１、４４、４４１の孔幅と略等しい幅を有し、小判孔４３、４３１、４４、４４１内を貫通する棒状部４９１と、小判孔４３、４３１、４４、４４１の孔幅より大きい径のストッパ４９２から構成されている。
【００１１】
図６に示すように、ヘッドバンド部２３の複数の突起４９を、それぞれ保護部材２２の複数の小判孔４３、４４に嵌合すると、保護部材２２とヘッドバンド部２３は突起４９および小判孔４３、４４による嵌合部材により接続される。このとき、小判孔４３の位置が小判孔４４より下方位置にあるので、保護部材２２を頭にかぶったときの後頭部には、保護部材２２とヘッドバンド部２３の間に開口部５０が形成される。一方、前頭部側は保護部材２２の下端とヘッドバンド部２３が重なり、開口部は形成されない。前頭部側にも開口部を形成したい場合には突起４９を嵌合させる小判孔４４を下側の小判孔４４１にすればよい。また、頭部が小さい場合には、突起４９を嵌合させる小判孔４３を上側の小判孔４３１にすればよい。
【００１２】
つぎに、フード部１２の内部にプロテクト部２１を装着する方法を説明する。
まず、図２および図３に示すように、フード部１２の頭帯１４を下方に開き、フード部１２の内部に図６に示すような保護部材２２にヘッドバンド部２３を取り付けたプロテクト部２１を挿入する。このとき、スライダ４７と透孔４６よりなる長さ調整部材がフード部１２の後頭部に対応する位置に配置されるように挿入する。つぎに、頭帯１４を縫い付け位置１７に沿って上方に折り曲げると、頭帯１４とフード部１２との間の空間にプロテクト部２１の下端が包み込まれてプロテクト部２１の下端が頭帯１４とフード部１２との間の空間内に挿入される。この場合、前頭部側は保護部材２２の下端とヘッドバンド部２３が重なっているので頭帯１４により保護部材２２の下端とヘッドバンド部２３が一緒に包み込まれるが、後頭部にかけては頭帯１４がヘッドバンド部２３のバンド４５のみが包み込まれる。このプロテクト部２１を頭帯１４とフード部１２との間の空間内に挿入した状態で、頭帯１４の接着部材１５とフード部１２の内面の接着部材１６とを保護部材２２とヘッドバンド部２３の間の開口部５０内で貼り合わせて接着させることにより、プロテクト部２１はフード部１２に装着され確実に固定される。
【００１３】
使用者３０がプロテクト部２１を装着した防塵フード１０を着用する場合は、フード部１２の頭帯１４から頭部を挿入して頂部にプロテクト部２１の保護部材２２を載せ、ヘッドバンド部２３のスライダ４７を移動させてヘッドバンド部２３の長さを頭囲にあわせて調整することによりヘッドバンド部２３が頭囲に固定される。前述したように、プロテクト部２１はフード部１２に固定されているので、ヘッドバンド部２３を頭囲に固定することにより、防塵フード１０は使用者３０の頭に確実に固定され、使用者３０が姿勢を変化させても防塵フード１０がずれることがなく、しかも着用時に違和感もない。使用者３０が防塵フード１０を着用している場合は、頭部がプロテクト部２１で保護されているので、クリーンルームなどの清浄な空間内において、機械装置などの狭所組立作業などで自ら頭部をその機械にぶつけることから保護することができる。
防塵フード１０を脱ぐ場合は、ヘッドバンド部２３のスライダ４７を移動させてヘッドバンド部２３をゆるめることにより簡単に脱ぐことができる。
なお、プロテクト部２１による保護機能を必要としない場合には、頭帯１４の接着部材１５とフード部１２の内面の接着部材１６とを剥がすことで、プロテクト部２１を保護部材２２から簡単に取り外すことができる。
上記実施例においては、防塵フードとして説明したが、使用者の腰から上を覆う上衣と腰から下を覆う下衣とともに防塵フードが一体となった防塵服についても有効である。
【産業上の利用可能性】
【００１４】
本発明の防塵フードは、半導体や薬品、食品などの研究や製造現場におけるクリーンルームなどの清浄な空間内で着用する無塵服の他、防災用ずきんにも適用することができる。
【図面の簡単な説明】
【００１５】
【図１】本発明の一実施例による防塵フード着用時を示す側面断面図
【図２】同防塵フードのフード本体を示す側面断面図
【図３】同防塵フードのフード本体を示す正面断面図
【図４】同防塵フードのプロテクト部の保護部材を示す斜視図
【図５】同防塵フードのプロテクト部のヘッドバンド部を示す斜視図
【図６】同防塵フードのプロテクト部を示す斜視図
【符号の説明】
【００１６】
１０  防塵フード
１１  フード本体
１２  フード部
１３  スカート部
１４  頭帯
１５、１６  接着部材
２１  プロテクト部
２２  保護部材
２３  ヘッドバンド部
３０  使用者
４０  本体
４１  スリット孔
４２  スリット
４３、４４、４４１  小判孔
４５  バンド
４６  透孔
４７  スライダ
４８  枝部
４９  突起
４９１  棒状部
４９２  ストッパ
５０  開口部
【図１】
2006144189.tif 000003
【図２】
2006144189.tif 000004
【図３】
2006144189.tif 000005
【図４】
2006144189.tif 000006
【図５】
2006144189.tif 000007
【図６】
2006144189.tif 000008